(57)【要約】【課題】複数人で共用でき、飲酒又は酒気帯び状態にある測定者による問題行動を未然に防止することができるようにする。【解決手段】本発明の飲酒管理システム１は、通信回線を介して接続されたアルコール検知機２及び設備管理装置３を備えている。アルコール検知機２は、測定者の呼気中のアルコール濃度を測定するアルコール濃度センサ３３と、該測定結果を測定者に報知する報知手段３４とを備え、さらに、測定者を特定する測定者特定手段３２と、該測定者ごとに測定結果を記憶する測定結果記憶手段３５と、測定結果が所定濃度を越えていると、前記測定者を識別する情報及び測定結果を所定の通報先に通報する通報手段３６とを備えている。設備管理装置３は、アルコール検知機２からの通報を受信する通報受信手段４２と、該通報された前記測定者について、所定の設備の利用を禁止又は制限する設備管理手段４５とを備えている。【選択図】      図４
2004245799.tif 000002
【特許請求の範囲】
【請求項１】
測定者の呼気中のアルコール濃度を測定するアルコール濃度センサと、該測定結果を測定者に報知する報知手段とを備えたアルコール検知機であって、
測定者を特定する測定者特定手段と、該測定者ごとに測定結果を記憶する測定結果記憶手段と、測定結果が所定濃度を越えていると、前記測定者を識別する情報及び測定結果を所定の通報先に通報する通報手段とを備えたアルコール検知機。
【請求項２】
請求項１記載のアルコール検知機からの通報を受信する通報受信手段と、該通報された前記測定者について、所定の設備の利用を禁止又は制限する設備管理手段とを備えた設備管理装置。
【請求項３】
請求項１記載のアルコール検知機と、請求項２記載の設備管理装置とを含む飲酒管理システム。
【発明の詳細な説明】
【０００１】
【発明の属する技術分野】
本発明は、複数人での使用を目的としたアルコール検知機、該検知機と連動する設備管理装置、及びこれらを含む飲酒管理システムに関するものである。
【０００２】
【従来の技術】
近年、飲酒による重大事故が多々発生し、交通や医療の分野での業務に従事する人に対する勤務中の飲酒・酒気帯び度の管理が問われるようになってきている。
【０００３】
従来のアルコール検知機として、特許文献１記載のアルコール検知機能付き携帯電話機を例示する。この携帯電話機は、マイク部にアルコール測定用センサが内蔵されており、該センサによって測定されたアルコール成分が設定した許容範囲内か否かを判別する判別回路によって判別し、判別結果を表示部に表示するようになっている。また、スピーカ部から警告を発したり、メモリに予め登録された電話番号へ通報したり、メモリに予め登録されたメールアドレスへデータ及び警告を送信するようになっている。
【０００４】
【特許文献１】
特公平７−３３１６２号公報
【０００５】
【発明が解決しようとする課題】
ところが、従来のアルコール検知機は、個人使用される携帯電話機の付加的機能として実現されているので、企業において従業員の飲酒管理に使用するためには、測定者としての各従業員に所持させる必要があり、コストがかかるという問題がある。
【０００６】
また、判定結果を送信するだけなので、それを受信した側がそれを常にチェックしていないと、飲酒又は酒気帯び状態にある測定者による問題行動を制止することができないという問題がある。
【０００７】
本発明の目的は、上記課題を解決し、複数人で共用できるアルコール検知機を提供することにある。
【０００８】
また、本発明の目的は、上記課題を解決し、飲酒又は酒気帯び状態にある測定者による問題行動を未然に防止することができる設備管理装置を提供することにある。
【０００９】
また、本発明の目的は、上記課題を解決し、複数人で共用でき、飲酒又は酒気帯び状態にある測定者による問題行動を未然に防止することができる飲酒管理システムを提供することにある。
【００１０】
【課題を解決するための手段】
上記目的を達成するために、本発明のアルコール検知機は、測定者の呼気中のアルコール濃度を測定するアルコール濃度センサと、該測定結果を測定者に報知する報知手段とを備えたアルコール検知機であって、測定者を特定する測定者特定手段と、該測定者ごとに測定結果を記憶する測定結果記憶手段と、測定結果が所定濃度を越えていると、前記測定者を識別する情報及び測定結果を所定の通報先に通報する通報手段とを備えている。
【００１１】
前記測定者特定手段としては、測定者本人を特定するためのあらゆる方法を利用することができ、特に限定されないが、測定者を識別する識別情報を入力させたり、該識別情報とともにパスワードを入力させたり、識別情報が記録された記録媒体から識別情報を読み込んだり、測定者の身体的特徴（指紋、網膜パターン等）を読み込んだりし、これらに基づいて特定する態様を例示する。
【００１２】
この構成によれば、測定者を特定し、測定者ごとに測定結果を記憶したり、測定者を識別する情報とともに測定結果を通報するように構成されているので、複数人で共用することができる。このため、コストを低減することができる。
【００１３】
また、本発明の設備管理装置は、前記アルコール検知機からの通報を受信する通報受信手段と、該通報された前記測定者について、所定の設備の利用を禁止又は制限する設備管理手段とを備えている。
【００１４】
前記設備としては、特に限定されないが、自動車、建物（建物への出入りを含む）等を例示する。また、アルコール検知機と、設備管理装置との間を接続する態様としては、特に限定されないが、無線（電波、光、赤外線等）又は有線で接続する態様を例示する。
【００１５】
この構成によれば、前記アルコール検知機から前記通報があると、自動的に該測定者による所定の設備の利用を禁止又は制限するように構成されているので、飲酒又は酒気帯び状態にある測定者による問題行動を未然に防止することができる。
【００１６】
また、本発明の飲酒管理システムは、前記アルコール検知機と、前記設備管理装置とを含んでいる。
【００１７】
この構成によれば、前記アルコール検知機及び前記設備管理装置の効果を得ることができる。即ち、複数人で共用でき、飲酒又は酒気帯び状態にある測定者による問題行動を未然に防止することができる。
【００１８】
【発明の実施の形態】
図１〜図５は本発明を具体化した第一実施形態の飲酒管理システム１を示している。図１に示すように、このシステム１は、複数人での使用を目的としたアルコール検知機２と、該検知機に通信回線４を介して接続された設備管理装置３とを含んでいる。本例では、飲酒管理システム１により入出管理システム９を制御し、設備としての建物への測定者の入出を管理する態様を示す。
【００１９】
アルコール検知機２は、図２及び図３の外観図に示すように、その表側に、測定者を識別する識別情報としてのＩＤを入力するためのＩＤ入力ボタン１１と、測定者の呼気に含まれるアルコール濃度を測定するための測定ボタン１２と、測定結果を入出力端子１７を介して外部に転送するための転送ボタン１３と、現在の動作モードを表示するための動作モード表示部１４と、測定したアルコール濃度や日時等を表示するための表示部１５と、測定者が呼気を吹き込むための吹き込み部１６と、入出力端子１７と、電源（交流電源２１、直流電源２２等）を接続する電源端子１８等が設けられている。入出力端子１７は、本例では、携帯電話５を介して通信回線４に接続されたり、コンピュータ６に接続されたりする。動作モード表示部１４には、本例では、測定準備が完了した状態を示す準備完了表示ランプ１４ａ、測定中であることを示す測定中表示ランプ１４ｂ、測定者の呼気に含まれるアルコール濃度が所定濃度を超えていることを示す飲酒検知表示ランプ１４ｃが設けられている。説明の簡略化のため以下の動作説明では、この動作モード表示部１４の説明を省く。また、吹き込み部１６は、図２に２点鎖線で示すようにケース１０から突出した使用位置と、ケースから突出しない収納位置との間でケース１０に回動可能に支持されたホルダ１６ａと、該ホルダ１６ａに着脱可能に取り付けられた筒状の吹き込み部１６ｂとを備えている。そして、アルコール検知機２の裏側には、交換用吹き込み部１６ｂを収納する収納部１９（本例では５本の交換用吹き込み部を収納）が設けられている。このアルコール検知機２は、取付ホルダ２０により壁面に保持するようにすることもできる。
【００２０】
アルコール検知機２の制御系統の構成について説明すると、図４のブロック図に示すように、この機器は、測定者を識別する情報としてのＩＤ（本例では複数の数字からなっている。）を複数人分記憶するＩＤ記憶部３１と、ＩＤ入力ボタン１１を介して入力されたＩＤとＩＤ記憶部３１に記憶されたＩＤとを照合することにより測定者を特定する測定者特定手段３２と、吹き込み部１６を介して取り込んだ測定者の呼気中のアルコール濃度を測定するアルコール濃度センサ３３（例えば半導体式ガスセンサ）と、該測定結果を表示部１５に表示することにより測定者に報知する報知手段３４と、測定者ごとの測定結果をそれぞれ複数回分（例えば５０回）記憶する測定結果記憶手段３５と、測定結果が所定の許容アルコール濃度を越えていると、ＩＤ及び測定結果を入出力端子１７及び携帯電話５を介して所定の通報先に通報する通報手段３６と、入出力端子１７を介してＩＤ記憶部３１に外部からＩＤを入力したり、測定結果記憶手段３５に記憶された測定結果を外部に出力したりするデータ入出力手段３７とを備えている。
【００２１】
設備管理装置３は、図４のブロック図に示すように、各測定者についてＩＤを含む測定者情報を記憶する測定者情報記憶手段４１と、アルコール検知機２からの通報を受信して通報に係る測定者についての測定結果を測定者情報記憶手段４１に記録する通報受信手段４２と、ＩＤ入力部４３を介して入力されたＩＤと測定者情報記憶手段４１に記憶されたＩＤとを照合することにより測定者を特定する測定者特定手段４４と、特定された測定者による設備の利用を禁止又は制限する設備管理手段４５とを備えている。設備管理手段４５による設備の利用を禁止又は制限された状態を解除する態様としては、特に限定されないが、所定の管理者によってのみ解除されるように構成する態様や、測定されたアルコール濃度に応じた所定時間が経過すると自動的に解除されるように構成する態様や、アルコール検知機２により所定の濃度以下であることが測定されると解除されるように構成する態様（この場合は、アルコール検知機２が測定結果を毎回設備管理装置３に通報するように構成したり、許容アルコール濃度を超えていないときでもアルコール検知機２に強制的に通報させるための手段を備えさせたりする。）を例示する。
【００２２】
次に、本飲酒管理システム１の一連の動作について、図５のフローチャートを参照しながら説明する。まず、アルコール検知機２は、測定者がＩＤ入力ボタン１１を介してＩＤを入力すると、測定者特定手段３２により前述の通り測定者を特定する（ステップＳ５０）。その結果をチェックし（ステップＳ５１）、測定者が特定できなければ、アルコール検知機２はすぐに処理を終了する（ステップＳ５７）。ステップＳ５１で測定者が特定できれば、吹き込み部１６を介して測定者の呼気を取り込み、アルコール濃度センサ３３によりアルコール濃度を測定し（ステップＳ５２）、その測定結果を測定結果記憶手段３５に記憶させるとともに（ステップＳ５３）、測定結果を報知手段３４により表示部１５に表示する（ステップＳ５４）。次いで、この測定結果をチェックし（ステップＳ５５）、これが所定のアルコール濃度を超えているときは、その測定に係るＩＤ及び測定結果を通報手段３６により、設備管理装置３に通報する（ステップＳ５６）。設備管理装置３では、このＩＤ及び測定結果を通報受信手段４２により受信すると、そのＩＤについての測定者情報に測定結果を記録する（ステップＳ６０）。その後、その測定者が設備を利用するためにＩＤを設備管理装置３のＩＤ入力部に入力すると、設備管理装置３は測定者特定手段により測定者を特定し、設備管理手段４５により建物の入出管理システム９を制御することにより建物の利用を禁止又は制限する。
【００２３】
以上のように構成された本発明のアルコール検知機２によれば、測定者を特定し、測定者ごとに測定結果を記憶したり、測定者を識別する情報とともに測定結果を通報するように構成されているので、複数人で共用することができる。このため、コストを低減することができる。
【００２４】
また、本設備管理装置３によれば、アルコール検知機２から通報があると、自動的に該測定者による所定の設備の利用を禁止又は制限するように構成されているので、飲酒又は酒気帯び状態にある測定者による問題行動を未然に防止することができる。
【００２５】
また、飲酒管理システム１によれば、アルコール検知機２及び設備管理装置３の効果を得ることができる。即ち、複数人で共用でき、飲酒又は酒気帯び状態にある測定者による問題行動を未然に防止することができる。
【００２６】
次に、図６は、本発明を具体化した第二実施形態の飲酒管理システム８０を示している。この実施形態は、以下の点において、第一実施形態と主に相違している。従って、第一実施形態と共通する部分については、同実施形態と同一符号を付することにより、重複説明を省く。
【００２７】
本例の飲酒管理システム８０は、設備としての自動車８９の利用を管理するものであり、アルコール検知機２と設備管理装置８１とは、ケーブル８２を介して１対１で直接接続されており、両装置２，８１ともに自動車８９に設置されている。従って、設備管理装置８１は、アルコール検知機２から通報を通報受信手段４２により受信すると、すぐに設備管理手段４５により自動車の利用を禁止又は制限するように構成されている。このため、第一実施形態とは異なり、設備管理装置８１は、測定者情報記憶手段４１と、測定者特定手段４４とを備えていない。そして、本例によっても、第一実施形態と同様の効果を得ることができる。
【００２８】
なお、本発明は前記実施形態に限定されるものではなく、例えば以下のように、発明の趣旨から逸脱しない範囲で適宜変更して具体化することもできる。
（１）第一実施形態において、測定結果及びＩＤを電子メールにより通報するように構成すること。
（２）各実施形態において、測定者を特定する方法を適宜変更すること。例えば、ＩＤとともにパスワードを入力させたり、ＩＤが記録された記録媒体から該ＩＤを読み込んだり、ＩＤに代えて測定者の身体的特徴（指紋、網膜パターン等）を読み込んだりし、これらに基づいて特定するように構成することを例示する。
【００２９】
【発明の効果】
本発明に係るアルコール検知機によれば、複数人で共用できるという優れた効果を奏する。
【００３０】
また、本発明に係る設備管理装置によれば、飲酒又は酒気帯び状態にある測定者による問題行動を未然に防止することができるという優れた効果を奏する。
【００３１】
また、本発明に係る飲酒管理システムによれば、複数人で共用でき、飲酒又は酒気帯び状態にある測定者による問題行動を未然に防止することができるという優れた効果を奏する。
【図面の簡単な説明】
【図１】本発明の第一実施形態に係る飲酒管理システムの全体構成を示す図である。
【図２】同システムのアルコール検知機の表側の外観を示す斜視図である。
【図３】同アルコール検知機の裏側の外観を示す斜視図である。
【図４】同システムの構成を示すブロック図である。
【図５】同システムにおける処理の流れを示すフローチャートである。
【図６】本発明の第二実施形態に係る飲酒管理システムの全体構成を示す図である。
【符号の説明】
１  飲酒管理システム
２  アルコール検知機
３  設備管理装置
４  通信回線
９  建物の入出管理システム
３１  ＩＤ記憶部
３２  測定者特定手段
３３  アルコール濃度センサ
３４  報知手段
３５  測定結果記憶手段
３６  通報手段
４２  通報受信手段
４５  設備管理手段
８０  飲酒管理システム
８１  設備管理装置
８９  自動車
【図１】
2004245799.tif 000003
【図２】
2004245799.tif 000004
【図３】
2004245799.tif 000005
【図４】
2004245799.tif 000006
【図５】
2004245799.tif 000007
【図６】
2004245799.tif 000008